(57)【要約】【課題】プライバシーを完全に保護でき、しかも、バルコニーの隣の部屋に涼しい風が入るし、太陽光の照り返しのないバルコニーを提供する。【解決手段】建物本体１には、バルコニー２に出入する開口部５とバルコニー床４を覆う庇９１を設ける。また、バルコニー床４には、開口部５の前方に通気口４１を設ける。また、手摺りをバルコニーに出入する開口部５の前方のバルコニー床４の縁部に立設する。この手摺りは視線を遮ることのできる高さ５００ｍｍ以上の壁を有する。【選択図】  図１
2005023584.tif 000002
【特許請求の範囲】
【請求項１】
建物本体から外方に張り出したバルコニー床と手摺りとからなるバルコニーであって、前記建物本体には、バルコニーに出入する開口部と、バルコニー床を覆う庇とが設られ、前記バルコニー床には、開口部の前方に通気口が設けられ、前記手摺りは、バルコニーに出入する開口部の前方のバルコニー床の縁部に立設され、視線を遮ることのできる高さ５００ｍｍ以上の壁を有することを特徴とするバルコニー。
【請求項２】
前記バルコニーに出入する開口部は、バルコニー床の床面と略等しいか若干高い位置からバルコニー床の床上１５００〜２５００ｍｍまでの高さを有していることを特徴とする請求項１記載のバルコニー。
【請求項３】
前記バルコニー床を覆う庇は、突出長さが５００ｍｍ以上であって、先端がバルコニー床の縁部に立設されている手摺りより屋内側で、手摺りの視線を遮る壁の上端から５００ｍｍ以上高い位置になる状態に設けられていることを特徴とする請求項１記載のバルコニー。
【請求項４】
前記バルコニー床に設けられている通気口は、幅がバルコニーに出入する開口部の最大開口幅以上で、奥行きが５００ｍｍ以上の矩形状であって、この通気口には、複数本の桟が矩形状の通気口の相対する辺に差し渡され、この複数本の桟の間隔が３０〜７０ｍｍになされていることを特徴とする請求項１記載のバルコニー。
【発明の詳細な説明】
【０００１】
【発明の属する技術分野】
本発明は、バルコニーに関する。
【０００２】
【従来の技術】
バルコニーは、建物の２階以上の屋外側に設けられているために、外側からバルコニーの居る人のスカートの内側等の下半身が見えてプライバシーに欠けるという問題がある。また、この問題を解決するために、外側にいる人の視線を遮る通孔のない壁を有する手摺りをバルコニーに設けると、夏期に、風が部屋の中に入らなくなり、バルコニーの隣の部屋が暑くなる。
また、バルコニー床から照り返す太陽光がバルコニーの隣の部屋に入り、この隣の部屋が暑いという問題がある。
【０００３】
この問題を解決するバルコニーが種々知られている。
例えば、特許文献１に記載されているバルコニーは、縦桟と横桟とが格子状に組み立てられたバルコニー面材を有するもので、このバルコニニー面材は、縦桟と横桟が面一になってなく、横桟が屋外側に突出し、縦桟が屋内側に突出している。
【０００４】
また、特許文献２に記載されているバルコニーは、床パネルと、壁パネルと、屋根パネルとを箱形に組み立てたバルコニーユニットであって、壁パネルには、上部と下部にそれぞれ通風用開口部が設けられ、屋根パネルには、天窓が設けられたものである。
【０００５】
【特許文献１】
特開２００１−２０３７２号公報
【特許文献２】
特開平６−１０４１５号公報
【０００６】
【発明が解決しようとする課題】
しかし、特許文献１に記載されているバルコニーには、バルコニー面材に設けられている横桟が屋外側に突出し、縦桟が屋内側に突出しているので、斜め前方の外側からは、バルコニーに居る人の下半身が見え難いが、正面からは、この縦桟と横桟とに関係なく、バルコニーに居る人の下半身が完全に見え、プライバシーの保護が不十分である。
【０００７】
また、この縦桟と横桟の間を通過した風がバルコニーの隣の部屋の中に入るが、この風も、太陽熱で加熱されたバルコニー床の上を通過して部屋に入るので、生暖かく、涼しさに欠けるという問題がある。
更に、この特許文献１に記載されているバルコニーでは、バルコニー床で照り返す太陽光の問題は解決されてない。
【０００８】
また、特許文献２に記載のバルコニーは、天窓から太陽光が入るので、洗濯物の干し場や、植木台等に利用できるし、壁パネルの下部の通風用開口部から入った風が上部の通風用開口部から出るので、バルコニーの中は涼しくなるが、この風はバルコニーを通過するだけであって、このバルコニーの隣の部屋の中に風が入らない。従って、夏期にこのバルコニーの隣の部屋は暑い。
【０００９】
そこで、本発明の目的は、プライバシーを完全に保護し、しかも、バルコニーの隣の部屋に涼しい風が入るし、太陽光の照り返しのないバルコニーを提供するものである。
【００１０】
【課題を解決するための手段】
本発明は上記目的を達成するためになしたものであって、請求項１記載の発明は、建物本体から外方に張り出したバルコニー床と手摺りとからなるバルコニーであって、前記建物本体には、バルコニーに出入する開口部と、バルコニー床を覆う庇とが設られ、前記バルコニー床には、開口部の前方に通気口が設けられ、前記手摺りは、バルコニーに出入する開口部の前方のバルコニー床の縁部に立設され、視線を遮ることのできる高さ５００ｍｍ以上の壁を有するものである。
【００１１】
この請求項１記載の発明におけるバルコニーに出入する開口部とは、バルコニーが設けられている建物本体の壁に設けられている開口部であって、バルコニーに行ったり、バルコニーから部屋に戻る際に通過するために設けられているものである。そして、この開口部は、通常、開閉できる引き違い戸や観音扉やドアー等が設けられている窓や出入口となっている。
【００１２】
この開口部の大きさは適宜でよいが、幅が建物のモジュール単位に従った略９００ｍｍ、略１８００ｍｍ、略２７００ｍｍのいずれかで、高さは、人が通れるように、請求項２に記載されているように、バルコニー床から１５００〜２５００ｍｍが好ましい。
また、請求項１記載のバルコニー床を覆う庇とは、建物本体からバルコニー床の上方に突出していて、バルコニー床の屋内側に太陽光が当たらないようにするものであって、建物本体の屋根の一部を延設した屋根庇や、開口部の上にだけ取り付けられた窓上庇等の固定式の庇でもよいし、出入自在に設けられたオーニング等の可動式の庇でもよい。
【００１３】
この庇の大きさは適宜でよいが、バルコニーに出入する開口部の前方のバルコニー床に太陽の光が当たらず、しかも、バルコニーの先端部分に太陽光が当たる部分を設けて、この部分を洗濯物を干す場所や、植木台等に使用できるようにすることが好ましい。
このようにするには、バルコニーの突出長さは通常９００ｍｍ以上であるので、突出長さが、請求項３記載のように、５００ｍｍ以上で、先端がバルコニー床の縁部に立設されている手摺りより屋内側にあるようにすればよい。
【００１４】
また、風がバルコニー床の前方よりバルコニーを通って隣の部屋に入り易いように、手摺りの壁と庇の先端との間を十分広くすることが好ましい。このようにするには、請求項３記載のように、先端が手摺りの視線を遮る壁の上端から５００ｍｍ以上高い場所に位置する状態に、庇を設ければよい。
また、バルコニー床に設けられている通気口から入った風が庇に当たって隣の部屋に導入し易くするように、庇を通気口の上方を覆うように設けることが好ましい。
【００１５】
請求項１記載の発明における通気口は、バルコニー床の下方からの風を入れて、開口部を経て隣の部屋に導入するものである。従って、開口部の前方に設ける必要がある。
そして、この通気口は多く風を通過させることのできるようにすることが好ましい。例えば、小さい通孔が多数設けられていてもよいし、大きな通孔が一個であってもよいが、大きな通孔が１個の方が設け易いし、効率よく空気を通過させることができるので好ましい。そして、このように大きな通孔を１つ設ける場合には、請求項４に記載あるように、幅がバルコニーに出入する開口部の最大開口幅以上で、奥行きが５００ｍｍ以上の矩形状の通気口であると、風を大量に通すことができるし、この通した風を効率よく開口部を経て隣の部屋に導入させることができるので好ましい。
【００１６】
そして、このように大きな通気口を設けると、この通気口から人が下方に転落する危険があるので、この通気口には桟を設けることが望ましい。桟としては、適宜でよいが、請求項４に記載あるように、矩形状の通気口の相対する辺に差し渡された複数本の桟の間隔を３０〜７０ｍｍにして設けるとよい。
【００１７】
請求項１記載の発明における手摺りは、床面から５００ｍｍ以上で、視線を遮ることのできる壁を有するものである。この意味は、この５００ｍｍ以上あれば、屋外側からバルコニーに居る人の下半身を見えなくすることができからであり、この壁の上は適宜でよい。例えば、手摺りの全体が視線を遮ることのできる壁であってもよいし、５００ｍｍ以上の視線を遮ることのできる壁であって、この上に格子状や支柱と手摺り棒とからなる枠等の外側が見えるものを取り付けた手摺りであってもよい。
【００１８】
この視線を遮ることのできる壁とは、外側からバルコニーの内側を見ることができない壁のことであって、外壁のように全く通孔のない不透明な壁であってもよいし、風を通過させることができるように、小さい通孔を上方向に向かって設けたり、ルーバーのように、斜め上方向に略平行に設けられた板体を多数設けて、斜め下方向からでも、正面からでも、バルコニーの内部が見えなくした壁であってもよい。
【００１９】
そして、この不透明な壁の場合には、この建物本体に設けられている外壁と略同じ模様の壁にすると、統一した色彩になり、美麗である。
また、この手摺りは開口部の前方のバルコニー床の縁部に設けられているが、その他の場所、例えば、バルコニー床の横側の縁部にも設けられていてもよい。
【００２０】
請求項２記載の発明は、請求項１記載の発明に係り、前記バルコニーに出入する開口部は、バルコニー床の床面と略等しいか若干高い位置からバルコニー床の床上１５００〜２５００ｍｍまでの高さを有しているものである。
【００２１】
請求項３記載の発明は、請求項１記載の発明に係り、前記バルコニー床を覆う庇は、突出長さが５００ｍｍ以上であって、先端がバルコニー床の縁部に立設されている手摺りより屋内側で、手摺りの視線を遮る壁の上端から５００ｍｍ以上高い位置になる状態に設けられているものである。
この請求項３記載の発明における突出長さとは建物本体の壁から庇の先端までの水平距離をいう。
【００２２】
請求項４記載の発明は、請求項１記載の発明に係り、前記バルコニー床に設けられている通気口は、幅がバルコニーに出入する開口部の最大開口幅以上で、奥行きが５００ｍｍ以上の矩形状であって、この通気口には、複数本の桟が矩形状の通気口の相対する辺に差し渡され、この複数本の桟の間隔が３０〜７０ｍｍになされているものである。
【００２３】
この請求項４記載の発明における開口部の最大開口幅とは、開口部に引き違い戸や観音扉やドアー等が取り付けられている場合には、この引き違い戸をスライドさせたり、観音扉やドアーを開けたたときに生ずる開口幅の最大値をいう。従って、引き違い戸の場合には、開口部の幅の略１／２であり、観音扉やドアーの場合には、開口部の幅と略同じ大きさである。
そして、通気口の幅は、この開口部の最大開口幅以上にする。
これは、通気口を通過した多量の風を開口部の中に入れるためである。
【００２４】
なお、引き違い戸が一方だけをスライドさせて開ける場合には、この開ける引き違い戸の前方にある通気口を開口部の略１／２以上にしてもよいが、引き違い戸が両方の戸を開けることができるようになって場合には、どちらの引き違い戸を開けても、前方に通気口があるように、通気口を開口部と略等しい幅以上にすることが望ましい。
【００２５】
（作用）
請求項１記載の発明では、建物本体から外方に張り出したバルコニー床と手摺りとからなるバルコニーであって、前記手摺りは、バルコニーに出入する開口部の前方のバルコニー床の縁部に立設され、視線を遮ることのできる高さ５００ｍｍ以上の壁を有するので、この開口部の前方に設けられている視線を遮ることのできる高さ５００ｍｍ以上の壁によって、外側からバルコニーに居る人の下半身を見ることができず、完全にプライバシーを保護することができる。
【００２６】
また、前記建物本体には、バルコニーに出入する開口部と、バルコニー床を覆う庇とが設られているので、バルコニー床には、開口部の前方部分に庇の影ができ、この部分には、太陽光が当たらない。従って、この開口部の前方部分のバルコニー床が加熱されず、バルコニーの前方から吹く風がこの上を通ってバルコニーの隣の部屋に入るが、この風は加熱されてなく涼しいし、バルコニーの隣の部屋に太陽光が照り返さない。
【００２７】
また、前記バルコニー床には、開口部の前方に通気口が設けられているし、前述したように、建物本体には、バルコニー床を覆う庇が設けられているので、バルコニー床が加熱されて発生する上昇流に吸い込まれて通気口からバルコニーの上方に風が入るが、この通気口から入った風が、庇に衝突し、ここで方向転換して開口部を通って部屋の中に入る。この際の風は、バルコニー床の下方から通気口を通って入って庇の影になっているバルコニー床の上を経て、バルコニーの隣の部屋に入るので生暖かな風でなく、涼しい気持ちのよい風である。
【００２８】
このように、バルコニーの隣の部屋は、夏期に、照り返しがなく、しかも、このバルコニーの前方や下方から吹いてくる涼しい風が入って気持ちのよい部屋となる。
【００２９】
請求項２記載の発明では、請求項１記載の発明に係り、前記バルコニーに出入する開口部は、バルコニー床の床面と略等しいか若干高い位置からバルコニー床の床上１５００〜２５００ｍｍまでの高さを有しているので、バルコニーの前方から吹いてくま風や、バルコニーの下から床面に設けられている通気口を通って入る風が、この床上１５００〜２５００ｍｍまでの高さの開口部を通して、バルコニーの隣に部屋の中に多く入る。
【００３０】
請求項３記載の発明では、請求項１記載の発明に係り、前記バルコニー床を覆う庇は、突出長さが５００ｍｍ以上であるので、この庇によって、バルコニー床の屋内側が影になり、この部分のバルコニー床が暑くならないし、バルコニーの隣の部屋への太陽光の照り返しがない。
【００３１】
また、先端が手摺りの視線を遮る壁の上端から５００ｍｍ以上高い位置になる状態に設けられているので、正面から吹いてくる風が、バルコニーの手摺りの上端と庇との間の隙間から入り、この風がバルコニーの隣の部屋の中に入る。
しかも、この風は、バルコニー床の上を通るが、このバルコニー床は暑くなってないので、隣の部屋に涼しい風が入る。
【００３２】
また、先端がバルコニー床の縁部に立設されている手摺りより屋内側になっているので、この手摺りの先端と手摺りの間には、太陽光が差し込む。
従って、この場所を洗濯物の干し場や植木台として使用することができる。
なお、洗濯物を陰干しにしたいときには、この庇の下方のバルコニー床を洗濯物の干し場にすればよい。
【００３３】
請求項４記載の発明では、請求項１記載の発明に係り、前記バルコニー床に設けられている通気口は、幅がバルコニーに出入する開口部の最大開口幅以上で、奥行きが５００ｍｍ以上の矩形状であるので、通気口から多量の風が入り、この多量の風が開口部を通して隣の部屋に入る。
【００３４】
しかも、この風はバルコニー床で影になっているバルコニーの下方から入るので、この風は暑くなってなく、隣の部屋に涼しい風である。
また、この通気口には、複数本の桟が矩形状の通気口の相対する辺に差し渡され、この複数本の桟の間隔が３０〜７０ｍｍになされているので、この通気口に設けられている桟によって、人が通気口から落下しない。
【００３５】
【発明の実施の形態】
次に、本発明の実施の形態を実施例で説明する。
図１及び図２は本発明の一実施例を示すもので、図１は建物のバルコニー部分を示す斜視図、図２はバルコニー床の平面図である。
【００３６】
図１及び図２において、Ｈは建物であり、この建物Ｈは、建物本体１と、建物本体１の２階に設けられているバルコニー２とからなる。
バルコニー２は手摺り３とバコルニー床４とからなる。
手摺り３はバルコニー床４の前方と両側の縁部に立設されていて、高さｄは略８００ｍｍである。
【００３７】
なお、この手摺り３は、建物本体１の外壁と略同じ材料である硬質木片セメント板の面材が屋外側に取り付けられた不透明な壁で形成されている。
このように、手摺り３の壁が建物本体１の外壁と略同じであると、建物本体１と手摺り３とが統一した色彩となり美麗である。
バルコニー床４は、幅ｅが略３６００ｍｍ、奥行きｆが略１８００ｍｍであって、従来のバルコニー床と同様に、建物本体に取り付けられた梁４５と、この梁の上に取り付けられた床面材４６とからなる。そして、このバルコニー床４には幅ｂが１８００ｍｍ、奥行きｃが略９００ｍｍの矩形状の通気口４１が設けられている。
【００３８】
そして、この通気口４１には、略３０ｍｍの桟４２が左右の側縁に差し渡されて取り付けられている。なお、この桟４２の間隔は略５０ｍｍである。
建物本体１には、屋根９が設けられていて、この屋根９がバルコニー２の上方までに延設されて、庇９１が形成されている。この庇９１の長さａは略７００ｍｍであり、この庇９１の先端の高さｋは、バルコニー床４から略２４００ｍｍである。
【００３９】
また、この建物本体１の壁９２には、幅ｇが略１８００ｍｍ、高さｈが略１７００ｍｍの開口部５が設けられ、この開口部５には２枚の引き違い戸５１が取り付けられている。
なお、この開口部５の正面に通気口４１が位置するようになっている。
【００４０】
次に、この建物Ｈの施工方法及び作用について説明する。
従来と同様にして建物Ｈを施工する。
この際、建物本体１には開口部５と庇９を設ける。
また、バルコニー２には、バルコニー床４の前方と側方に手摺り３を設け、バルコニー床４に通気口４１を設ける。
【００４１】
このようにして建てた建物Ｈでは、手摺り３が、バルコニー床４の前方と両側の縁部とに立設され、しかも、高さｄが略８００ｍｍの不透明な壁を有するので、この略８００ｍｍの壁によって、外側からバルコニーに居る人の下半身を見ることができず、完全にプライバシーを保護することができる。
また、建物本体１の屋根９がバルコニー２の上方に差し出されて長さａが略７００ｍｍの庇９１となっているので、奥行きｆが略１８００ｍｍのバルコニー床４には、開口部５の前方に庇９１の影ができ、この部分に太陽光が当たらない。従って、この部分のバルコニー床４が加熱されない。
【００４２】
従って、開口部５の引き違い戸５１を開けると、矢印Ａで示す正面から吹いてくる風は、このバルコニー２の手摺り３の上端と庇との間の隙間（垂直方向の長さ（ｋ−ｄ）が１６００ｍｍ、水平方向の長さ（ｆ−ａ）が１１００ｍｍの隙間）から入り、この風が暑くなってないバルコニー床４の上を通って、バルコニー２の隣の部屋の中に入る。
【００４３】
また、バルコニー床４には、開口部５の前方に通気口４１が設けられ、建物本体１には、バルコニー２に出入する開口部５と、バルコニー床４を覆う庇９１とが設られているので、バルコニー床４が加熱されて発生する上昇流に吸い込まれて通気口４１からバルコニー２の上方に風が入るが、この通気口４１から入った風が、矢印Ｂで示すように、庇９１に衝突し、ここで方向転換して開口部５を通って隣の部屋の中に入る。この際の風は、庇９１で太陽光の影になっているバルコニー２の下方の風であり、しかも、暑くなってないバルコニー床４の上を通過するので生暖かな風でなく、涼しい気持ちのよい風である。
【００４４】
この際、バルコニー２に出入する開口部５は、幅ｇが略１８００ｍｍ、高さｈが略１７００ｍｍであり、２枚の引き違い戸５１が設けられているし、通気口４１は、この開口部５の前方にあって、幅ｂが略１８００ｍｍであるので、どちらの戸を開けても、前方に通気口４１があることになり、バルコニー２の下方から通気口４１を通って入った多量の風が、この開口部５を通って、バルコニー２の隣に部屋の中に入る。
また、開口部５の前方は、バルコニー床４の影ができているので、太陽光が隣の部屋の中に照り返さない。
【００４５】
このように、夏期には、前方から吹いてくる風やバルコニー床４の下方から吹いてくる風は涼しいし、太陽光の照り返しがないので、バルコニー２の隣の部屋が涼しい気持ちのよい部屋となる。
また、バルコニー床４の先端部分には、水平方向の長さ（ｆ−ａ）で１１００ｍｍの隙間があるので、この部分には太陽光が入る。
従って、この部分を洗濯物の干し場や、植木台に利用することができる。
また、バルコニー床４に設けられている通気口４１には、桟４２が矩形状の両側に差し渡されて取り付けられているので、この桟４２によって、人が通気口４１から下方に落下しない。
【００４６】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では建物Ｈの種類については、特に、説明してないが、いかなる建物でもよい。例えば、木造建物でもよいし、鉄骨建物でもよい。また、１個建ての建物でもよいし、集合住宅のように２個以上の建物でもよい。また、現場で施工する従来の建物でもよいし、工場で建物ユニットを製造し、これを施工現場で組み立てるユニット建物でもよいし、部品を工場で製造し、施工現場で組み立てるプレハブ建物でもよい。
また、バルコニー２は実施例では片持ちになっているが、このバルコニーの先端部分に支柱を設け、この支柱で先端部分を支持するようにしてもよい。
【００４７】
【発明の効果】
請求項１記載の発明は、建物本体から外方に張り出したバルコニー床と手摺りとからなるバルコニーであって、前記建物本体には、バルコニーに出入する開口部と、バルコニー床を覆う庇とが設られ、前記バルコニー床には、開口部の前方に通気口が設けられ、前記手摺りは、バルコニーに出入する開口部の前方のバルコニー床の縁部に立設され、視線を遮ることのできる高さ５００ｍｍ以上の壁を有するから、視線を遮ることのできる高さ５００ｍｍ以上の壁によって、外側からバルコニーに居る人の下半身を見ることができず、完全にプライバシーを保護することができる。
【００４８】
また、バルコニー床には庇の影ができて、この部分が太陽光が当たらず、従って、このバルコニー床が加熱されていない。従って、バルコニーの正面から吹くてくる風や、下方から通気口を通過する風が、加熱されてないバルコニー床の上を通ってバルコニーの隣の部屋に入るし、このバルコニーの隣の部屋には、太陽光の照り返しがなく、隣の部屋が涼しい気持ちのよい場所となる。
【００４９】
請求項２記載の発明は、請求項１記載の発明に係り、前記バルコニーに出入する開口部は、バルコニー床の床面と略等しいか若干高い位置からバルコニー床の床上１５００〜２５００ｍｍまでの高さを有しているから、バルコニーの下から床面に設けられている通気口を通って入る風が、この床上１５００ｍｍ〜２５００ｍｍまでの大きさの開口部を通して、バルコニーの隣に部屋の中に多量に入る。
【００５０】
請求項３記載の発明は、請求項１記載の発明に係り、前記バルコニー床を覆う庇は、突出長さが５００ｍｍ以上であって、先端がバルコニー床の縁部に立設されている手摺りより屋内側で、手摺りの視線を遮る壁の上端から５００ｍｍ以上高い位置になる状態に設けられているから、この庇によって、開口部の前方にあるバルコニー床が影になり、床が暑くならないし、バルコニーの隣の部屋へ太陽光が照り返さない。
【００５１】
しかも、正面から吹いてくる風がこのバルコニーの手摺りの上端と庇との間の隙間から入り、この風がバルコニーの隣の部屋の中に入る。
しかも、このバルコニー床の前方の手摺り近傍には、庇がなく、ここに太陽光が差し込むので、この部分を洗濯物の干し場や、植木台にすることができる。
【００５２】
請求項４記載の発明は、請求項１記載の発明に係り、前記バルコニー床に設けられている通気口は、幅がバルコニーに出入する開口部の最大開口幅以上で、奥行きが５００ｍｍ以上の矩形状であって、この通気口には、複数本の桟が矩形状の通気口の相対する辺に差し渡され、この複数本の桟の間隔が３０〜７０ｍｍになされているから、通気口から開口部を通して多量の風が隣の部屋に入るし、通気口に設けられている桟によって、人が通気口から落下しない。
【図面の簡単な説明】
【図１】本発明の一実施例を示すもので、建物のバルコニー部分を示す斜視図である。
【図２】バルコニー床の平面図である。
【符号の説明】
Ｈ              建物
１              建物本体
２              バルコニー
３              手摺り
４              バルコニー床
４１            通気口
５              開口部
９１            庇
【図１】
2005023584.tif 000003
【図２】
2005023584.tif 000004